【手続補正書】
【提出日】平成17年11月30日(2005.11.30)
【手続補正１】
【補正対象書類名】特許請求の範囲
【補正対象項目名】全文
【補正方法】変更
【補正の内容】
【特許請求の範囲】
【請求項１】
高速パケットデータ伝送用の高速パケットデータチャンネルを用いて移動局に対してデータを送信する基地局と、前記高速パケットデータチャンネルを含む下りリンクの品質情報を前記基地局に周期的に送信する移動局を含む通信システムにおいて、
前記移動局は、前記高速パケットデータチャンネルによって前記基地局から送信されたデータに対する応答信号を送信する制御チャンネルを用いて、０、１、互いに倍数関係にない２個以上の正の偶数、及び、前記互いに倍数関係にない２個以上の正の偶数以上の値であって互いに倍数関係を有する２個以上の正の偶数を含む集合に基づいて選択された送信周期に基づいて、前記品質情報を前記基地局に送信することを特徴とする通信システム。
【請求項２】
高速パケットデータ伝送用の高速パケットデータチャンネルを用いて移動局に対してデータを送信する基地局と、前記高速パケットデータチャンネルを含む下りリンクの品質情報を前記基地局に周期的に送信する移動局を含む通信システムにおいて、
前記移動局は、０、１、互いに倍数関係にない２個以上の正の偶数、及び、前記互いに倍数関係にない２個以上の正の偶数以上の値であって互いに倍数関係を有する２個以上の正の偶数を含む集合に基づいて選択された送信周期、及び基地局から高速パケットデータチャンネルを用いて伝送された高速パケットデータを受信する受信部と、
この受信部が受信した前記送信周期に基づいて、前記高速パケットデータの受信結果に応じた応答信号とあわせて２ｍｓの時間長となるサブフレーム単位で前記品質情報を前記基地局に送信する送信部とを設けたことを特徴とする通信システム。
【請求項３】
送信周期を移動局に通知する周期通知ステップと、基地局に下りリンクの品質情報を周期的に送信する品質情報送信ステップと、高速パケットデータチャンネルによって前記基地局から送信されたデータに対する応答信号を制御チャンネルを用いて送信する応答信号送信ステップを含む通信方法において、
前記品質情報送信ステップは、０、１、互いに倍数関係にない２個以上の正の偶数、及び、前記互いに倍数関係にない２個以上の正の偶数以上の値であって互いに倍数関係を有する２個以上の正の偶数を含む集合に基づいて選択された送信周期に基づいて、前記品質情報を前記制御チャンネルを用いて送信することを特徴とする通信方法。
【請求項４】
送信周期を移動局に通知する周期通知ステップと、基地局に下りリンクの品質情報を周期的に送信する品質情報送信ステップと、高速パケットデータチャンネルによって前記基地局から送信されたデータに対する応答信号を制御チャンネルを用いて送信する応答信号送信ステップを含む通信方法において、
前記周期通知ステップは、０、１、互いに倍数関係にない２個以上の正の偶数、及び、前記互いに倍数関係にない２個以上の正の偶数以上の値であって互いに倍数関係を有する２個以上の正の偶数を含む集合に基づいて選択された前記送信周期を通知し、
前記品質情報送信ステップは、前記送信周期に基づいて、前記応答信号とあわせて２ｍｓの時間長となるサブフレーム単位で前記品質情報を前記基地局に送信することを特徴とする通信方法。
【手続補正２】
【補正対象書類名】明細書
【補正対象項目名】発明の名称
【補正方法】変更
【補正の内容】
【発明の名称】通信システム、および通信方法
【手続補正３】
【補正対象書類名】明細書
【補正対象項目名】００４２
【補正方法】変更
【補正の内容】
【００４２】
この発明に係る通信システムは、高速パケットデータ伝送用の高速パケットデータチャンネルを用いて移動局に対してデータを送信する基地局と、前記高速パケットデータチャンネルを含む下りリンクの品質情報を前記基地局に周期的に送信する移動局を含む通信システムにおいて、前記移動局は、前記高速パケットデータチャンネルによって前記基地局から送信されたデータに対する応答信号を送信する制御チャンネルを用いて、０、１、互いに倍数関係にない２個以上の正の偶数、及び、前記互いに倍数関係にない２個以上の正の偶数以上の値であって互いに倍数関係を有する２個以上の正の偶数を含む集合に基づいて選択された送信周期に基づいて、前記品質情報を前記基地局に送信するものである。
【手続補正４】
【補正対象書類名】明細書
【補正対象項目名】００４３
【補正方法】変更
【補正の内容】
【００４３】
この発明に係る通信システムは、高速パケットデータ伝送用の高速パケットデータチャンネルを用いて移動局に対してデータを送信する基地局と、前記高速パケットデータチャンネルを含む下りリンクの品質情報を前記基地局に周期的に送信する移動局を含む通信システムにおいて、前記移動局は、０、１、互いに倍数関係にない２個以上の正の偶数、及び、前記互いに倍数関係にない２個以上の正の偶数以上の値であって互いに倍数関係を有する２個以上の正の偶数を含む集合に基づいて選択された送信周期、及び基地局から高速パケットデータチャンネルを用いて伝送された高速パケットデータを受信する受信部と、この受信部が受信した前記送信周期に基づいて、前記高速パケットデータの受信結果に応じた応答信号とあわせて２ｍｓの時間長となるサブフレーム単位で前記品質情報を前記基地局に送信する送信部とを設けたものである。
【手続補正５】
【補正対象書類名】明細書
【補正対象項目名】００４４
【補正方法】変更
【補正の内容】
【００４４】
この発明に係る通信方法は、送信周期を移動局に通知する周期通知ステップと、基地局に下りリンクの品質情報を周期的に送信する品質情報送信ステップと、高速パケットデータチャンネルによって前記基地局から送信されたデータに対する応答信号を制御チャンネルを用いて送信する応答信号送信ステップを含む通信方法において、前記品質情報送信ステップは、０、１、互いに倍数関係にない２個以上の正の偶数、及び、前記互いに倍数関係にない２個以上の正の偶数以上の値であって互いに倍数関係を有する２個以上の正の偶数を含む集合に基づいて選択された送信周期に基づいて、前記品質情報を前記制御チャンネルを用いて送信するものである。
【手続補正６】
【補正対象書類名】明細書
【補正対象項目名】００４５
【補正方法】変更
【補正の内容】
【００４５】
この発明に係る通信方法は、送信周期を移動局に通知する周期通知ステップと、基地局に下りリンクの品質情報を周期的に送信する品質情報送信ステップと、高速パケットデータチャンネルによって前記基地局から送信されたデータに対する応答信号を制御チャンネルを用いて送信する応答信号送信ステップを含む通信方法において、前記周期通知ステップは、０、１、互いに倍数関係にない２個以上の正の偶数、及び、前記互いに倍数関係にない２個以上の正の偶数以上の値であって互いに倍数関係を有する２個以上の正の偶数を含む集合に基づいて選択された前記送信周期を通知し、前記品質情報送信ステップは、前記送信周期に基づいて、前記応答信号とあわせて２ｍｓの時間長となるサブフレーム単位で前記品質情報を前記基地局に送信するものである。
【手続補正７】
【補正対象書類名】明細書
【補正対象項目名】００４６
【補正方法】削除
【補正の内容】
【手続補正８】
【補正対象書類名】明細書
【補正対象項目名】００４７
【補正方法】削除
【補正の内容】
【手続補正９】
【補正対象書類名】明細書
【補正対象項目名】００４８
【補正方法】削除
【補正の内容】
【手続補正１０】
【補正対象書類名】明細書
【補正対象項目名】００４９
【補正方法】削除
【補正の内容】
【手続補正１１】
【補正対象書類名】明細書
【補正対象項目名】００５０
【補正方法】削除
【補正の内容】
【手続補正１２】
【補正対象書類名】明細書
【補正対象項目名】００５１
【補正方法】削除
【補正の内容】
【手続補正１３】
【補正対象書類名】明細書
【補正対象項目名】００５３
【補正方法】削除
【補正の内容】
【手続補正１４】
【補正対象書類名】明細書
【補正対象項目名】００５４
【補正方法】削除
【補正の内容】
【手続補正１５】
【補正対象書類名】明細書
【補正対象項目名】００５５
【補正方法】削除
【補正の内容】
【手続補正１６】
【補正対象書類名】明細書
【補正対象項目名】００５６
【補正方法】削除
【補正の内容】
【手続補正１７】
【補正対象書類名】明細書
【補正対象項目名】００５７
【補正方法】削除
【補正の内容】
【手続補正１８】
【補正対象書類名】明細書
【補正対象項目名】００６１
【補正方法】削除
【補正の内容】
【手続補正１９】
【補正対象書類名】明細書
【補正対象項目名】００５２
【補正方法】削除
【補正の内容】